(57)【要約】 【課題】  データファイルのコピー転送前に、コピー後の転送先の容量を正確に把握できるデータファイルコピー時の容量表示システムおよびデータファイルコピー時の容量表示方法を提供することを目的とする。【解決手段】  第１の記録再生装置から各データファイルサイズを受信する手段と、ファイルサイズに基づいて、すべてのデータファイルを記録するための必要容量を算出する手段と、算出した必要容量を送信する手段とを有し、第１の記録再生装置が第２の記録再生装置にデータファイルのコピーを実行するときに、第２の記録再生装置にファイルサイズを送信する手段と、容量情報を受信する手段と、受信した容量情報に基づいて、コピー実行前にコピー動作完了後の前記第２の記録再生装置の容量を表示する手段とを有することにより、データファイルのコピー転送前に、コピー後の転送先の記録容量を把握できるシステムを提供する。【選択図】  図１７          
2005085359.tif 000002
【特許請求の範囲】
【請求項１】
第１の記録再生装置に記録されたデータファイルをダイレクトに転送して、第２の記録再生装置にコピーするデータファイルコピー時の容量表示システムであって、
前記第２の記録再生装置が現容量を算出する現容量算出手段と、
前記第１の記録再生装置からコピー転送する各データファイルのファイルサイズを受信するファイルサイズ受信手段と、
該受信した各データファイルのファイルサイズに基づいて、各データファイルをコピーするために必要な記録容量を算出し、すべてのデータファイルを記録するための必要容量を算出する記録容量算出手段と、
該算出した必要容量を前記第１の記録再生装置に送信する容量情報送信手段とを有し、
前記第１の記録再生装置が前記コピー転送するデータファイルを選択するためにその内容を表示する表示手段と、
該表示されたデータファイルを選択する操作手段と、
前記第２の記録再生装置にデータファイルのコピーを実行するときに、前記第２の記録再生装置に各データファイルのファイルサイズを送信するファイルサイズ送信手段と、
前記第２の記録再生装置から前記容量情報を受信する容量情報受信手段と、
該受信した容量情報に基づいて、コピー実行前にコピー動作完了後の前記第２の記録再生装置の容量を表示する容量表示手段とを有することを特徴とするデータファイルコピー時の容量表示システム。
【請求項２】
第１の記録再生装置に記録されたデータファイルをダイレクトに転送して、第２の記録再生装置にコピーするデータファイルコピー時の容量表示システムであって、
前記第２の記録再生装置が現容量を算出する現容量算出手段と、
前記第１の記録再生装置からコピー転送する各データファイルのファイルサイズを受信するファイルサイズ受信手段と、
該受信した各データファイルのファイルサイズに基づいて、各データファイルをコピーするために必要な記録容量を算出し、各データファイルを記録するための必要容量を算出する記録容量算出手段と、
該算出した各データファイルの記録容量を送信する容量情報送信手段とを有し、
前記第１の記録再生装置が前記コピー転送するデータファイルを選択するためにその内容を表示する表示手段と、
該表示されたデータファイルを選択する操作手段と、
前記第２の記録再生装置にデータファイルのコピーを実行するときに、前記第２の記録再生装置に各データファイルのファイルサイズを送信するファイルサイズ送信手段と、
前記第２の記録再生装置から前記容量情報を受信する容量情報受信手段と、
該受信した容量情報に基づいて、コピー実行前にコピー動作完了後の前記第２の記録再生装置の容量を算出する容量算出手段と、
該算出した使用容量を表示する使用容量表示手段とを有することを特徴とするデータファイルコピー時の容量表示システム。
【請求項３】
第１の記録再生装置に記録されたデータファイルをダイレクトに転送して、第２の記録再生装置にコピーするデータファイルコピー時の容量表示システムであって、
前記第２の記録再生装置が現容量を算出する現容量算出手段と、
前記第１の記録再生装置からコピー転送するデータファイルのファイルサイズを受信するファイルサイズ受信手段と、
該受信したファイルサイズに基づいて、コピー後の容量を算出する容量算出手段と、
該算出したコピー後の容量を前記第１の記録再生装置に送信する容量情報送信手段とを有し、
前記第１の記録再生装置が前記コピー転送するデータファイルを選択するためにその内容を表示する表示手段と、
該表示されたデータファイルを選択する操作手段と、
前記第２の記録再生装置にデータファイルのコピーを実行するときに、前記第２の記録再生装置に各データファイルのファイルサイズを送信するファイルサイズ送信手段と、
前記第２の記録再生装置から前記容量情報を受信する容量情報受信手段と、
該受信した前記容量情報に基づいて、コピー実行前にコピー動作完了後の前記第２の記録再生装置の容量を表示する容量表示手段とを有することを特徴とするデータファイルコピー時の容量表示システム。
【請求項４】
前記第２の記録再生装置が複数ある場合に、前記容量表示手段が各第２の記録再生装置ごとの使用容量を表示することを特徴とする請求項１乃至請求項３のいずれかに記載されたデータファイルコピー時の容量表示システム。
【請求項５】
前記容量表示手段が複数の表示部を有し、それぞれの表示部が異なった態様の表示を行うことを特徴とする請求項１乃至４のいずれかに記載されたデータファイルコピー時の容量表示システム。
【請求項６】
前記第１の記録再生装置がデジタルカメラであって、前記データファイルが画像データにより構成されていることを特徴とする請求項１乃至請求項５のいずれかに記載されたデータファイルコピー時の容量表示システム。
【請求項７】
コピー転送されたデータファイルを記録する第２の記録再生装置と、該第２の記録再生装置にコピーするデータファイルをダイレクトに転送する第１の記録再生装置とからなり、
前記第２の記録再生装置の現容量を算出する工程と、
前記第１の記録再生装置が前記第２の記録再生装置から前記第２の記録再生装置の容量を受信する工程と、
前記第１の記録再生装置がコピー転送する各データファイルのファイルサイズを送信する工程と、
前記第２の記録再生装置が前記第１の記録再生装置からコピー転送する各データファイルのファイルサイズを受信する工程と、
該受信した各データファイルのファイルサイズに基づいて、各データファイルをコピーするために必要な記録容量を算出する工程と、
該算出した記録容量から、すべてのデータファイルを記録するための必要容量を算出する工程と、
該算出した容量情報を前記第１の記録再生装置に送信する工程と、
該容量情報を受信し、コピー実行前にコピー動作完了後の前記第２の記録再生装置の容量を表示する工程とを有するデータファイルコピー時の容量表示方法。
【請求項８】
コピー転送されたデータファイルを記録する第２の記録再生装置と、該第２の記録再生装置にコピーするデータファイルをダイレクトに転送する第１の記録再生装置とからなり、
前記第１の記録再生装置が前記第２の記録再生装置から前記第２の記録再生装置の容量を受信する工程と、
前記第１の記録再生装置がコピー転送する各データファイルのファイルサイズを送信する工程と、
前記第２の記録再生装置が前記第１の記録再生装置からコピー転送する各データファイルのファイルサイズを受信する工程と、
該受信した各データファイルのファイルサイズに基づいて、各データファイルをコピーするために必要な必要容量を算出する工程と、
該算出した必要容量情報を前記第１の記録再生装置に送信する工程と、
該各データファイルをコピーするための必要容量情報を受信し、すべてのデータファイルをコピーした後の前記第２の記録再生装置の容量を算出する工程と、
該算出した容量を表示する工程とを有するデータファイルコピー時の容量表示方法。
【請求項９】
コピー転送されたデータファイルを記録する第２の記録再生装置と、該第２の記録再生装置にコピーするデータファイルをダイレクトに転送する第１の記録再生装置とからなり、
前記第１の記録再生装置が前記第２の記録再生装置から前記第２の記録再生装置の容量を受信する工程と、
前記第１の記録再生装置がコピー転送する各データファイルのファイルサイズを送信する工程と、
前記第２の記録再生装置が前記第１の記録再生装置からコピー転送する各データファイルのファイルサイズを受信する工程と、
該受信した各データファイルのファイルサイズに基づいて、前記データファイルコピー後の容量を算出する工程と、
該算出した容量を前記第１の記録再生装置に送信する工程と、
該容量に関する情報を受信し、すべてのデータファイルをコピーした後の前記第２の記録再生装置の容量を表示する工程とを有するデータファイルコピー時の容量表示方法。
【請求項１０】
前記第２の記録再生装置が複数ある場合に、各第２の記録再生装置ごとの使用容量を表示することを特徴とする請求項７乃至請求項９のいずれかに記載されたデータファイルコピー時の容量表示方法。
【請求項１１】
前記コピー時の第２の記録再生装置に関する容量を複数の異なった態様で表示することを特徴とする請求項７乃至請求項９に記載されたデータファイルコピー時の容量表示方法。
【請求項１２】
前記第１の記録再生装置がデジタルカメラであって、前記データファイルが画像データにより構成されていることを特徴とする請求項７から請求項１１のいずれかに記載されたデータファイルコピー時の容量表示方法。
【発明の詳細な説明】
【技術分野】
【０００１】
本発明は、取得したデータをダイレクトに他の記録再生装置に転送するデータファイルコピー時の容量表示システムおよびデータファイルコピー時の容量表示方法に関する。
【背景技術】
【０００２】
パーソナルコンピュータの目ざましい普及やその機能の多様性に伴って、撮影した画像情報を簡単に編集することができるデジタルカメラが注目を浴びている。
従来、デジタルカメラで取得した画像情報をデータファイルとしてからパーソナルコンピュータに転送する場合は、パーソナルコンピュータがデジタルカメラのファイルシステムを直接制御していたため、パーソナルコンピュータがデジタルカメラの総記録容量、使用済み容量、空き容量あるいはデジタルカメラにデータファイルをコピーする場合の使用容量を直接知ることができた。
【０００３】
また、特許文献１にあるように、デジタルカメラ単体において、デジタルカメラ内の記録媒体の総容量、記録済容量、残容量をグラフ表示し、また、静止画の記録可能な枚数や、動画の記録可能な時間を表示する技術あるいは、特許文献２にあるように、記録可能な容量を示すバーグラフに対応するサムネイル画と、現在の再生位置に対応するサムネイル画に付加されるマークによりポジションメータを表示し、このようなサムネイル画によりポジションメータを表示して、ユーザにデジタルカメラ内のディスクの空き容量や、現在のディスクの再生位置を直感的に知らせる技術も開示されている。
【０００４】
一方、最近では、撮影した画像情報をパーソナルコンピュータを介してストレージに保存するために、例えば、ＭＯ（光磁気ディスク）等の記録再生装置の論理フォーマットが分からなくても、画像情報のコピーを手軽にできるＰＴＰ（ＰＴＰ：Picture Transfer Protocol）対応のデジタルカメラが登場し、Windows（登録商標）XPにおいてサポートされるようになってきた。
ＰＴＰ対応のデジタルカメラは、パーソナルコンピュータ側にファイルシステムを見せないような構成になっており、このＰＴＰ対応のデジタルカメラにデータファイルのコピーを行う場合には、パーソナルコンピュータがデジタルカメラに対して、データファイルのコピー要求を発行し、デジタルカメラがパーソナルコンピュータからデータファイルを受信し、デジタルカメラ側でファイルシステムを制御してコピーを行う構成になっている。
【特許文献１】特開２０００−３２４３６８号公報
【特許文献２】特開平１１−２８８５８１号公報
【発明の開示】
【発明が解決しようとする課題】
【０００５】
しかし、特許文献１および特許文献２に開示された発明は、あくまでもデジタルカメラ単体に関するものであり、デジタルカメラで撮影した画像データをストレージに転送してコピーする場合に、転送する画像データファイルのコピーが可能であるか否かの判断を行うことができない。
【０００６】
また、特許文献１に記載されている発明は、現在設定されている画質モードにおけるファイルサイズをもとに記録可能枚数や時間の算出を行っているが、静止画や動画は撮影対象でファイルサイズが異なるのが一般的であり、また、同じ被写体であっても撮影する方向等が異なれば、ファイルサイズも異なることから、画一的なファイルサイズに基づく演算では、正確な記録可能な枚数や時間を表示することができない。
【０００７】
特許文献２に記載されている発明も記録可能な容量を示すバーグラフに対応したサムネイル画と、現在の再生位置に対応するサムネイル画に付加されるマークによりポジションメータとによって、デジタルカメラ内のディスクの空き容量や、現在のディスクの再生位置を直感的に把握することができても、これらの情報は単にラフなイメージ情報にすぎず、正確な記録可能時間や記録枚数を把握することができない。
【０００８】
さらに、ＰＴＰ対応のデジタルカメラであっても、パーソナルコンピュータがデジタルカメラのファイルシステムを把握できないため、コピー動作の実行前に転送するデータファイルをコピーするのに必要な容量がわからず、実際にコピー要求を発行してみないと、コピーの可否が判断できないという問題がある。
【０００９】
こうした問題は、最近提案されているパーソナルコンピュータを介さずにデジタルカメラからストレージに直接データファイルをコピー転送するシステムやＰＴＰ対応のストレージ側からデジタルカメラに直接データファイルをコピー転送するシステムにおいても同様である。
さらに、ＰＴＰに限らず、コピーを要求する側がコピー先側のファイルシステムを把握できないようなシステムについても同様の問題がある。
【００１０】
そのため、本発明は、上述の課題に鑑みてなされたものであり、簡易な構成で、データファイルのコピー転送前に、コピー後の転送先の記録容量を正確に把握できるデータファイルコピー時の容量表示システムおよびデータファイルコピー時の容量表示方法を提供することを目的とする。
【課題を解決するための手段】
【００１１】
請求項１に係る発明は、第１の記録再生装置に記録されたデータファイルをダイレクトに転送して、第２の記録再生装置にコピーするデータファイルコピー時の容量表示システムであって、前記第２の記録再生装置が現容量を算出する現容量算出手段と、前記第１の記録再生装置からコピー転送する各データファイルのファイルサイズを受信するファイルサイズ受信手段と、該受信した各データファイルのファイルサイズに基づいて、各データファイルをコピーするために必要な記録容量を算出し、すべてのデータファイルを記録するための必要容量を算出する記録容量算出手段と、該算出した必要容量を前記第１の記録再生装置に送信する容量情報送信手段とを有し、前記第１の記録再生装置が前記コピー転送するデータファイルを選択するためにその内容を表示する表示手段と、該表示されたデータファイルを選択する操作手段と、前記第２の記録再生装置にデータファイルのコピーを実行するときに、前記第２の記録再生装置に各データファイルのファイルサイズを送信するファイルサイズ送信手段と、前記第２の記録再生装置から前記容量情報を受信する容量情報受信手段と、該受信した容量情報に基づいて、コピー実行前にコピー動作完了後の前記第２の記録再生装置の容量を表示する容量表示手段とを有することを特徴とするデータファイルコピー時の容量表示システムを提案している。
【００１２】
請求項７に記載された発明は、コピー転送されたデータファイルを記録する第２の記録再生装置と、該第２の記録再生装置にコピーするデータファイルをダイレクトに転送する第１の記録再生装置とからなり、前記第２の記録再生装置の現容量を算出する工程と、前記第１の記録再生装置が前記第２の記録再生装置から前記第２の記録再生装置の容量を受信する工程と、前記第１の記録再生装置がコピー転送する各データファイルのファイルサイズを送信する工程と、前記第２の記録再生装置が前記第１の記録再生装置からコピー転送する各データファイルのファイルサイズを受信する工程と、該受信した各データファイルのファイルサイズに基づいて、各データファイルをコピーするために必要な記録容量を算出する工程と、該算出した記録容量から、すべてのデータファイルを記録するための必要容量を算出する工程と、該算出した容量情報を前記第１の記録再生装置に送信する工程と、該容量情報を受信し、コピー実行前にコピー動作完了後の前記第２の記録再生装置の容量を表示する工程とを有するデータファイルコピー時の容量表示方法を提案している。
【００１３】
これらの発明によれば、データファイルを第２の記録再生装置にコピー転送するときに、第１の記録再生装置が第２の記録再生装置から第２の記録再生装置の容量を受信する。第１の記録再生装置は、第２の記録再生装置にコピー転送する各データファイルのファイルサイズを送信し、第２の記録再生装置は、受信したファイルサイズに基づいて、各データファイルをコピーするために必要な記録容量を算出するとともに、すべてのデータファイルを記録するための必要容量を算出して、この情報を第１の記録再生装置に送信する。第１の記録再生装置は、受信した必要容量に関する情報に基づいて、コピー実行前に、コピー動作完了後の第２の記録再生装置の容量を表示することにより、これを使用者に認知させる。
なお、扱うデータは、特に限定されるものではなく、例えば、画像データであっても、テキストデータであっても、音声データであってもよい。
【００１４】
請求項２に係る発明は、第１の記録再生装置に記録されたデータファイルをダイレクトに転送して、第２の記録再生装置にコピーするデータファイルコピー時の容量表示システムであって、前記第２の記録再生装置が現容量を算出する現容量算出手段と、前記第１の記録再生装置からコピー転送する各データファイルのファイルサイズを受信するファイルサイズ受信手段と、該受信した各データファイルのファイルサイズに基づいて、各データファイルをコピーするために必要な記録容量を算出し、各データファイルを記録するための必要容量を算出する記録容量算出手段と、該算出した各データファイルの記録容量を送信する容量情報送信手段とを有し、前記第１の記録再生装置が前記コピー転送するデータファイルを選択するためにその内容を表示する表示手段と、該表示されたデータファイルを選択する操作手段と、前記第２の記録再生装置にデータファイルのコピーを実行するときに、前記第２の記録再生装置に各データファイルのファイルサイズを送信するファイルサイズ送信手段と、前記第２の記録再生装置から前記容量情報を受信する容量情報受信手段と、該受信した容量情報に基づいて、コピー実行前にコピー動作完了後の前記第２の記録再生装置の容量を算出する容量算出手段と、該算出した使用容量を表示する使用容量表示手段とを有することを特徴とするデータファイルコピー時の容量表示システムを提案している。
【００１５】
請求項８に係る発明は、コピー転送されたデータファイルを記録する第２の記録再生装置と、該第２の記録再生装置にコピーするデータファイルをダイレクトに転送する第１の記録再生装置とからなり、前記第１の記録再生装置が前記第２の記録再生装置から前記第２の記録再生装置の容量を受信する工程と、前記第１の記録再生装置がコピー転送する各データファイルのファイルサイズを送信する工程と、前記第２の記録再生装置が前記第１の記録再生装置からコピー転送する各データファイルのファイルサイズを受信する工程と、該受信した各データファイルのファイルサイズに基づいて、各データファイルをコピーするために必要な必要容量を算出する工程と、該算出した必要容量情報を前記第１の記録再生装置に送信する工程と、該各データファイルをコピーするための必要容量情報を受信し、すべてのデータファイルをコピーした後の前記第２の記録再生装置の容量を算出する工程と、該算出した容量を表示する工程とを有するデータファイルコピー時の容量表示方法を提案している。
【００１６】
これらの発明によれば、データファイルを第２の記録再生装置にコピー転送するときに、第１の記録再生装置が第２の記録再生装置から第２の記録再生装置の容量を受信する。第１の記録再生装置は、第１の記録再生装置から第２の記録再生装置にコピー転送する各データファイルのファイルサイズを送信し、第２の記録再生装置は受信したファイルサイズに基づいて、各データファイルをコピーするために必要な記録容量を算出して、各データファイルを記録するための必要容量を第１の記録再生装置に送信する。第１の記録再生装置は、受信した必要容量に関する情報に基づいて、すべてのデータファイルを第２の記録再生装置に記録するための必要容量を算出し、コピー実行前にコピー動作完了後の第２の記録再生装置の容量を表示することにより、これを使用者に認知させる。
【００１７】
請求項３に係る発明は、第１の記録再生装置に記録されたデータファイルをダイレクトに転送して、第２の記録再生装置にコピーするデータファイルコピー時の容量表示システムであって、前記第２の記録再生装置が現容量を算出する現容量算出手段と、前記第１の記録再生装置からコピー転送するデータファイルのファイルサイズを受信するファイルサイズ受信手段と、該受信したファイルサイズに基づいて、コピー後の容量を算出する容量算出手段と、該算出したコピー後の容量を前記第１の記録再生装置に送信する容量情報送信手段とを有し、前記第１の記録再生装置が前記コピー転送するデータファイルを選択するためにその内容を表示する表示手段と、該表示されたデータファイルを選択する操作手段と、前記第２の記録再生装置にデータファイルのコピーを実行するときに、前記第２の記録再生装置に各データファイルのファイルサイズを送信するファイルサイズ送信手段と、前記第２の記録再生装置から前記容量情報を受信する容量情報受信手段と、該受信した前記容量情報に基づいて、コピー実行前にコピー動作完了後の前記第２の記録再生装置の容量を表示する容量表示手段とを有することを特徴とするデータファイルコピー時の容量表示システムを提案している。
【００１８】
請求項９に係る発明は、コピー転送されたデータファイルを記録する第２の記録再生装置と、該第２の記録再生装置にコピーするデータファイルをダイレクトに転送する第１の記録再生装置とからなり、前記第１の記録再生装置が前記第２の記録再生装置から前記第２の記録再生装置の容量を受信する工程と、前記第１の記録再生装置がコピー転送する各データファイルのファイルサイズを送信する工程と、前記第２の記録再生装置が前記第１の記録再生装置からコピー転送する各データファイルのファイルサイズを受信する工程と、該受信した各データファイルのファイルサイズに基づいて、前記データファイルコピー後の容量を算出する工程と、該算出した容量を前記第１の記録再生装置に送信する工程と、該容量に関する情報を受信し、すべてのデータファイルをコピーした後の前記第２の記録再生装置の容量を表示する工程とを有するデータファイルコピー時の容量表示方法を提案している。
【００１９】
これらの発明によれば、データファイルを第２の記録再生装置にコピー転送するときに、第１の記録再生装置は、第１の記録再生装置から第２の記録再生装置にコピー転送する各データファイルのファイルサイズを送信する。第２の記録再生装置は、受信したファイルサイズに基づいて、各データファイルをコピーするために必要な記録容量を算出することにより、コピー後の容量を算出して、この情報を第１の記録再生装置に送信する。第１の記録再生装置は、受信した容量に関する情報に基づいて、コピー動作完了後の第２の記録再生装置の容量を表示することにより、これを使用者に認知させる。
【００２０】
請求項４に係る発明は、請求項１乃至請求項３のいずれかに記載されたデータファイルコピー時の容量表示システムについて、前記第２の記録再生装置が複数ある場合に、前記容量表示手段が各第２の記録再生装置ごとの使用容量を表示することを特徴とするデータファイルコピー時の容量表示を提案している。
請求項１０に係る発明は、請求項７乃至請求項９のいずれかに記載されたデータファイルコピー時の容量表示方法について、前記第２の記録再生装置が複数ある場合に、各第２の記録再生装置ごとの使用容量を表示することを特徴とするデータファイルコピー時の容量表示方法を提案している。
【００２１】
これらの発明によれば、第２の記録再生装置が複数ある場合に、各第２の記録再生装置ごとの容量を第１の記録再生装置の表示部に表示することから、データファイルコピー後の各第２の記録再生装置ごとの容量を一度に把握することができる。
【００２２】
請求項５に係る発明は、請求項１乃至４のいずれかに記載されたデータファイルコピー時の容量表示システムについて、前記容量表示手段が複数の表示部を有し、それぞれの表示部が異なった態様の表示を行うことを特徴とするデータファイルコピー時の容量表示システムを提案している。
請求項１１に係る発明は、請求項７乃至請求項９に記載されたデータファイルコピー時の容量表示方法について、前記コピー時の第２の記録再生装置に関する容量を複数の異なった態様で表示することを特徴とするデータファイルコピー時の容量表示方法を提案している。
【００２３】
これらの発明によれば、容量表示手段が複数の表示部を有し、それぞれの表示部が異なった態様の表示を行うことから、例えば、円グラフの表示により大まかな容量を把握するとともに、数値により詳細な容量を把握することができる。
【００２４】
請求項６に係る発明は、請求項１乃至請求項５のいずれかに記載されたデータファイルコピー時の容量表示システムについて、前記第１の記録再生装置がデジタルカメラであって、前記データファイルが画像データにより構成されていることを特徴とするデータファイルコピー時の容量表示システムを提案している。
請求項１２に係る発明は、請求項７から請求項１１のいずれかに記載されたデータファイルコピー時の容量表示方法において、前記第１の記録再生装置がデジタルカメラであって、前記データファイルが画像データにより構成されていることを特徴とするデータファイルコピー時の容量表示方法を提案している。
【発明の効果】
【００２５】
本発明によれば、コピーするデータファイルの送信元がコピー先の装置のファイルシステムを把握できない場合でも、コピー転送の実行前に、コピー先の装置の容量やコピー転送後のコピー先の装置の容量を正確に把握することができるという効果がある。
また、コピー転送の実行前に、コピー先の装置の容量やコピー転送後のコピー先の装置の容量を正確に把握できることから、コピー先の装置の容量不足を事前に検出してコピー転送を行うか否かの判断をすることができるという効果がある。
【発明を実施するための最良の形態】
【００２６】
以下、本発明の実施形態に係るデータファイルコピー時の容量表示システムについて図１から図２２を参照して詳細に説明する。
なお、後述するＣＰＵ２０３、ステップ１３１および１８１が現容量算出手段に、ＣＰＵ２０３、ステップ１３２および１８２がファイルサイズ受信手段に、ＣＰＵ２０３、ステップ１３２から１３９、１８３から１８８が記憶容量算出手段に、ＬＣＤ１０７が表示手段に、選択／決定ボタン１０３が操作手段に、ＣＰＵ１０４、ステップ１２０、１５５、１６０がファイルサイズ送信手段に、ＣＰＵ２０３、ステップ１８５、１８６、１８８が容量情報送信手段に、ＣＰＵ１０４、ステップ１５６、１６１、１６８が容量情報受信手段に、ＣＰＵ２０３、ステップ１３２から１３９、１８３から１８８が使用容量算出手段に、ＣＰＵ１０４、ステップ１５６、１６１、１６８が容量算出手段に対応する。
【実施例１】
【００２７】
本実施例に係るデータファイルコピー時の容量表示システムは、図１に示すように、第１の記録再生装置であるデジタルカメラ１００と第２の記録再生装置であるストレージ２００とにより構成されており、両者は、例えば、ＵＳＢ等のケーブルを用いて有線で、あるいは、bluetoothのような無線で接続されている。
【００２８】
デジタルカメラ１００は、図２に示すように、ＲＯＭ１０１と、ＲＡＭ１０２と、選択／決定ボタン１０３と、ＣＰＵ１０４と、ファイル管理部１０５と、画像記憶部１０６と、ＬＣＤ１０７と、ＬＥＤ１０８とから構成されている。
ＲＯＭ１０１は、デジタルカメラ全体を制御するためのプログラムや各種情報が記録された書き換え不能な記憶装置である。
ＲＡＭ１０２は、各種データや設定値等を一時的に記憶する書き換え可能な記憶装置である。
【００２９】
ＣＰＵ１０４は、ＲＯＭ１０１内に記憶された制御プログラムに基づいて、デジタルカメラの装置全体を制御するほか、本実施例においては、ストレージ２００に画像ファイルのコピー要求や画像ファイルのファイルサイズ情報を送信するとともに、ストレージ２００から受信した情報に基づいて、演算を行い、各種表示データをＬＣＤ１０７に出力する。
ファイル管理部１０５は、撮像された画像データを画像記憶部１０６に格納し、あるいは、画像記憶部１０６から画像ファイルを読み出すとともに、各画像ファイルのデータサイズ等を管理する。
【００３０】
画像記憶部１０６は、撮像された画像データを格納する記憶装置であり、メモリカード等の交換型のものでもよいし、デジタルカメラ内に固定されたものでもよい。
ＬＣＤ１０７は、コピー転送する画像ファイルを選択するために、サムネイルを表示し、あるいは、本実施例においては、ストレージ２００の総記録容量、空き容量、コピー容量等を数字や図形、その他の態様で表示する。
ＬＥＤ１０８は、画像ファイルのコピー転送時に、ストレージ側のコピー容量が不足しているときに、点灯あるいは点滅表示をして、ユーザにコピーが不可能であることを視覚により伝える表示装置である。
【００３１】
一方、ストレージ２００は、図２に示すように、ＲＯＭ２０１と、ＲＡＭ２０２と、ＣＰＵ２０３と、ファイル管理部２０４と、画像記憶部２０５とから構成されている。
これらの各構成要素の機能は、デジタルカメラ１００の構成要素の機能と略同様である。
【００３２】
デジタルカメラ１００の背面は、図３に示すようになっており、中央に決定ボタンを備え、その周囲に選択ボタンを配置した選択決定ボタン１０３と、８画面分のサムネイル表示部とストレージの総容量、空き容量およびコピー容量を数値等で表示する表示部を備えるＬＣＤ１０７と、ＬＥＤ１０８と、デジタルカメラの電源のＯＮ／ＯＦＦを行うＰｏｗｅｒスイッチ１０９と、被写体を撮像するシャッター１１０と、撮影モードと再生モードとを切り替えるモード選択ダイヤル１１１とを配置した構成となっている。
【００３３】
デジタルカメラ１００の画像記憶部１０６に保存されている画像ファイルは、例えば、図４に示すようになっている。ここで、「￥ＤＣＩＭ−１００ＯＬＭＰ」は画像ファイルのフォルダ名を、「Ｐ７２５０００１．ＪＰＧ」等は画像ファイル名を示しており、図４では、１つのフォルダに８つの画像ファイルが含まれていることを示している。
【００３４】
図５の１００ＯＬＭＰから１０３ＯＬＭＰは既存のフォルダを示しており、１０４ＯＬＭＰで示されるフォルダはストレージ２００が新規作成するフォルダであり、図４に示すデジタルカメラ１００内の画像ファイルをコピーした時の様子を示している。
図６は８つの画像ファイルの実ファイルサイズ、デジタルカメラ１００側(ＦＡＴ１６で１６ＫＢ／クラスタで論理フォーマットされている)での使用ファイル容量と使用クラスタ数、ストレージ２００側(ＦＡＴ１６で３２ＫＢ／クラスタで論理フォーマットされている)にコピーした場合の使用ファイル容量と使用クラスタ数と、ストレージ２００に新規フォルダを作成した場合の使用ファイル容量と使用クラスタ数を示している。
なお、１０４ＯＬＭＰに対応する容量とクラスタ数は、フォルダに使用される容量とクラスタ数を示している。
【００３５】
次に、図１６から図１８を用いて、デジタルカメラからストレージへ画像ファイルをコピー転送する場合の処理について説明する。
デジタルカメラ１００から画像ファイルをストレージ２００にコピー転送する際のデジタルカメラ１００側の処理フローは図１６に示すように、まず、デジタルカメラ１００内のＣＰＵ１０４はストレージ２００内のＣＰＵ２０３に対してストレージ２００のディスク情報（総容量、空き容量等）を確認する（ステップ１００）。
これに対して、ストレージ２００内のＣＰＵ２０３は図７に示すような使用可能容量や使用可能クラスタ数等のディスク情報（図７においては、ストレージの総容量が1,240、596、480バイト、使用済容量が1,226,309,632バイト、使用可能容量が14,286,848バイト）を送付する。
本実施例のＦＡＴ１６では、現容量確認手段は、管理領域のBoot Sectorに書かれているSector Size、Sector per Cluster、Reserved Sector Count、Number of FATs、Number of root-directory entries、Total Sectors、Sector per FATといった情報を読み、演算を行なって、総容量やクラスタサイズを求める。また、管理領域のFATのクラスタ使用状況を確認することで使用済み容量や使用可能容量を算出する。
デジタルカメラ１００内のＣＰＵ１０４はストレージ２００から上記のディスク情報を受信すると、図３に示す様に総容量や空き容量(使用可能容量)をＬＣＤ１０７に表示する（ステップ１０１）。なお、この時点では、コピー容量は０となり、容量不足も表示されない。
【００３６】
デジタルカメラ１００内のＣＰＵ１０４は、ストレージ２００内のＣＰＵ２０３に対して画像ファイルのコピー可否の確認やコピー要求を行うためのコピーファイル情報をクリアし（ステップ１０２）、続いて、新規接続か否かを確認した後（ステップ１０３）、接続後、初めてのコピーである時は、新しいコピー先フォルダを作成するために、指定New Directory（図８参照）とする（ステップ１０４）。
一方、接続後、２回目以降のコピーである場合は、最後にコピーしたフォルダにコピーするために、指定Last  Directoryとする（ステップ１０５）。
【００３７】
画像が選択された場合（ステップ１０６）、コピーファイル情報に図８に示すようなファイルを追加する（ステップ１０７）。
本実施例のＦＡＴ１６では、ファイル名とファイルサイズは、Root directory又はSub directoryに書かれている。
一方で、画像の選択が解除された場合（ステップ１０８）は、コピーファイル情報から選択を解除されたファイルを削除する（ステップ１０９）。
次に、容量確認指示が発生すると（ステップ１１０）、これに応じて容量確認が実行される（ステップ１１１）。
【００３８】
容量確認はデジタルカメラ１００内のＣＰＵ１０４がストレージ２００にコピーファイル情報を送付し、ストレージ２００内のＣＰＵ２０３がコピーに必要な使用ファイル容量を算出して図９に示す様な使用容量を送信する（ステップ１２０）ことにより行なわれる。
本実施例のＦＡＴ１６では、使用容量は、個別のファイル容量とクラスタサイズから個別のファイルに必要なクラスタ数を算出し、これらの算出値から全ファイルの必要クラスタ数を算出することにより求めることができる。また、使用フォルダ容量はNew Directory指定時には、最低でも１クラスタ分は必要となり、１クラスタで管理できるファイル数（１ファイルの管理には３２バイトが必要であるため、クラスタサイズを３２バイトで割った数）を越える場合は、１クラスタサイズの整数倍で増える。Last Directory指定時は、既存のクラスタ内に収まる場合は０バイトとなり、越える場合には、上記と同様に１クラスタサイズの整数倍で増える。
なお、図９（Ａ）はＰ７２５０００１からＰ７２５０００７の７つのファイルを指定した場合であり、コピーが可能であることを示している。
図９（Ｂ）はさらに、Ｐ７２５０００８を指定した場合であり、容量オーバーであることを示している。
また、ストレージ２００が書き込み禁止になっているような別のエラーがある時は、書き込み禁止等の該当するエラーをデジタルカメラ内のＣＰＵ１０４に送信する。
【００３９】
デジタルカメラ１００内のＣＰＵ１０４は、ストレージ２００から使用ファイル容量を受信すると、これをコピー容量としてＬＣＤ１０７に表示し、併せてコピー可否に関する情報も表示する（ステップ１２１）。
ここで、コピー不可の場合（ステップ１２２）には、デジタルカメラ１００内のＣＰＵ１０４は、ＬＥＤ１０８を点滅させてエラー表示を行う(ステップ１２３)。コピー可能時には、ＬＥＤ１０８を消灯させてエラー表示をクリアする（ステップ１２４）。
なお、この容量確認はステップ１０４、１０５、１０７、１０９において、コピーファイル情報を更新した毎に自動的に行う様にようにしても良い。
【００４０】
次に、デジタルカメラ１００内のＣＰＵ１０４からコピー実行指示が発行されると（ステップ１１２）、ステップ１１１と同様に、コピー可否の確認を行なう（ステップ１１３）。確認の結果、コピー不可状態である場合には（ステップ１１４）、  画像選択モードに戻る（ステップ１０６）。
【００４１】
一方で、コピー可能な場合は、その旨の通知を受けたデジタルカメラ１００内のＣＰＵ１０４が、コピーファイル情報をストレージ２００内のＣＰＵ２０３に送付してコピー要求を行う（ステップ１１５）。
コピー要求を受けたストレージ２００内のＣＰＵ２０３は、デジタルカメラ１００内のＣＰＵ１０４にファイル送信要求を出力する（ステップ１１６）。
ファイル送信要求を受けたデジタルカメラ１００内のＣＰＵ１０４は、ストレージ２００内のＣＰＵ２０３にファイルの送信を行い（ステップ１１７）、ストレージ２００内のＣＰＵ２０３からコピー終了応答があるまでファイルの送信を続行する(ステップ１１８)。コピーが終了すると、デジタルカメラ１００内のＣＰＵ１０４は、空き容量、コピー容量の表示を更新し、コピー終了を表示して終了する。
【００４２】
なお、本実施例ではコピーするファイル数が8個と少ないので使用フォルダ容量が32,768Bytes=１クラスタとなっているが、ファイル数が多い場合は１クラスタの整数倍で増えていく。
また、本実施例では、新規接続時に自動的に新規フォルダを作成する様にしているが、画像選択前やコピー要求前にＬＣＤ１０７と選択／決定ボタン１０３を使用して、ユーザが新規フォルダ作成の有無やコピー先フォルダを選択するようにしても良い。
【００４３】
ただし、コピー先を指定する場合は、ステップ１０４やステップ１０５でフォルダ名を指定する様にする。
また、コピー可否の結果は、ＬＣＤ１０７のみ、又はＬＥＤ１０８にのみ表示する様にしても良く、コピー可否確認とコピー要求を分けずに、コピー要求時に確認を行う様にしても良い。
【００４４】
次に、図１８を用いてストレージ２００側の動作を説明する。
まず、デジタルカメラ１００からのディスク確認要求があれば（ステップ１３０）、デジタルカメラ１００内のＣＰＵ１０４に図７に示すようなディスク情報を送付する（ステップ１３１）。
なお、ストレージ内のディスクがライトプロテクトされていたり、書き換え不可能のディスクの場合は、ライトプロテクトや書き込み禁止といったステータスを含める様にしてもよい。
また、図７では容量に関わるディスク情報が複数含まれているが、デジタルカメラ１００側ではユーザに必要な情報のみを表示できればよいので、この中の必要なデータのみ送付する様にしても良いし、ファイル数等の他の情報も含めても良い。
さらに、図９に関する情報についても同様に不要なデータを削除し、あるいは他の情報を追加しても良い。
【００４５】
次に、デジタルカメラ１００内のＣＰＵ１０４からコピー可否確認要求があると（ステップ１３２）、ストレージ２００内のＣＰＵ２０３は、ＤＣＩＭがあるかをチェックし（ステップ１３３）、ＤＣＩＭが無ければ、￥ＤＣＩＭ￥１００ＯＬＹＭＰを作成して、２クラスタを加算し（ステップ１３７）、ＤＣＩＭはあるがNew Directory指定の場合は、￥ＤＣＩＭフォルダ下に１０４ＯＬＹＭＰを作成して、１クラスタ加算し（ステップ１３６）、それ以外の場合は既存のフォルダにコピーを行って、使用クラスタを０とする（ステップ１３５）。
【００４６】
ストレージ２００内のＣＰＵ２０３は、デジタルカメラ１００内のＣＰＵ１０４から送信された実ファイル容量をクラスタサイズで割ることで使用クラスタ数を算出して加算する（ステップ１３８）。
この処理を全てのファイルが終了するまでを繰り返す（ステップ１３９）。
次に、使用クラスタ数が使用可能クラスタ数を越えたかをチェックし（ステップ１４０）、越えた場合は使用容量と容量不足であることをデジタルカメラ１００に送付する（ステップ１４１）。
一方で、越えていない場合は、使用容量とコピー可能であることをデジタルカメラ１００に送付する（ステップ１４２）。
【００４７】
デジタルカメラ１００内のＣＰＵ１０４からコピー実行要求を受け付けると（ステップ１４３）、フォルダを作成するか否かをチェックし（ステップ１４４）、作成する必要がある場合にはフォルダを作成する（ステップ１４５）。
さらに、デジタルカメラ１００内のＣＰＵ１０４からファイルを受信し（ステップ１４６）、受信したファイルをディスクに書き込む（ステップ１４７）。
この処理を全てのファイルが終了するまで繰り返す（ステップ１４８）。全てのファイルについて処理が終了すると、デジタルカメラ１００内のＣＰＵ１０４にコピー終了を知らせる（ステップ１４９）。
【００４８】
なお、従来のパーソナルコンピュータとストレージではコピー要求する側(パーソナルコンピュータやデジタルカメラ)がストレージ側のファイルシステムに直接アクセスしたため、コピー要求する側で使用容量を簡単にチェックできたが、本実施例の様にコピー要求する側がストレージ側のファイルシステムを直接アクセスできないシステムでは使用容量のチェックができなかった。
しかし本実施例ではストレージ側で使用容量を算出し、その結果をコピー要求する側に送付するので、コピー前にユーザに表示することができる。
【実施例２】
【００４９】
次に、図６、図１０から図１５および図１９から図２１を用いて、画像ファイルが選択される度にコピー可否を判別する場合の実施例について説明する。
デジタルカメラ１００側の処理フローは図１９および図２０に示すようになっている。なお、ステップ１５０からステップ１５２については実施例１のステップ１００から１０２と同様であるため、説明を省略する。
【００５０】
まず、デジタルカメラ１００内のＣＰＵ１０４は、ストレージ２００と接続後の最初のコピーかどうかをチェックし（ステップ１５３）、最初のコピーの場合は新規フォルダを作成するために、図１５に示す様にコピーファイル情報にNew Directoryを追加する（ステップ１５４）。
次に、図１２（Ａ）に示すような情報をストレージ２００に送付して使用容量を確認すると、ストレージ２００は図１４（Ａ）に示すようなデータをデジタルカメラ１００に送付する（ステップ１５５）。
データを受信したデジタルカメラ１００内のＣＰＵ１０４は、コピー容量(使用容量)等を更新する（ステップ１５６）。
また、２回目以降のコピーの場合は、既存フォルダを使用するため、コピーファイル情報にLast Directoryを追加する（ステップ１５７）。
【００５１】
次に、画像ファイルが選択されると（ステップ１５８）、図１５に示す様にコピーファイル情報にファイル識別子を追加し（ステップ１５９）、図１２（Ｂ）に示す情報をストレージ２００に送付して使用容量を確認すると、ストレージ２００はファイル識別子の詳細をデジタルカメラ１００に問い合わせ、デジタルカメラ１００は図１３に示すファイル識別子の詳細をストレージ２００に送付する（ステップ１６０）。
なお、これらの情報にファイル作成日時や属性情報等のファイル管理情報も含める様にすればなお良い。
【００５２】
ストレージ２００内のＣＰＵ２０３は図１４（Ｂ）に示すデータを算出しデジタルカメラ１００に送付する。
データを受信したデジタルカメラ１００内のＣＰＵ１０４は、コピー容量(使用容量)等を更新する（ステップ１６１）。
ついで、容量不足か否かをチェックし（ステップ１６２）、容量不足の場合はＬＣＤ１０７にエラー表示する（ステップ１６３）。
【００５３】
画像ファイルの選択が解除されると（ステップ１６４）、コピーファイル情報からファイル識別子を削除し（ステップ１６５）、コピー容量(使用容量)等を更新する（ステップ１６６）。
なお、追加時に記憶した値を使用しても良いし、追加時と同様にストレージ２００に確認しても良い。
ついで、容量不足が解除されたかをチェックし（ステップ１６７）、容量不足が解除された場合はエラー表示をクリアする（ステップ１６８）。
ユーザからコピー実行指示があると（ステップ１６９）、エラー状態か否かをチェックし（ステップ１７０）、コピー可能な場合は、ストレージ２００にコピー要求を行う（ステップ１７１）。
【００５４】
コピー要求を受けたストレージ２００内のＣＰＵ２０３は、デジタルカメラ１００内のＣＰＵ１０４にファイル送信要求を出力する（ステップ１７２）。
ファイル送信要求を受けたデジタルカメラ１００内のＣＰＵ１０４は、ストレージ２００内のＣＰＵ２０３にファイルの送信を行い（ステップ１７３）、ストレージ２００内のＣＰＵ２０３からコピー終了応答があるまでファイルの送信を続行する(ステップ１７４)。
コピーが終了すると、デジタルカメラ１００内のＣＰＵ１０４は、空き容量、コピー容量の表示を更新し、コピー終了を表示して終了する（ステップ１７５）。
【００５５】
次に、図２１を用いて、ストレージ２００側の処理フローを説明する。
なお、ステップ１８０からステップ１８２については実施例１のステップ１３０から１３２と同様であるため、説明を省略する。
まず、ストレージ２００内のＣＰＵ２０３は、容量確認がNew Directoryの場合（ステップ１８３）は、ＤＣＩＭフォルダがあるかをチェックし（ステップ１６４）、ＤＣＩＭフォルダが無ければ、使用クラスタ数を２としてデジタルカメラ１００にデータを送信する（ステップ１８５）。
一方、ＤＣＩＭフォルダがある場合は使用クラスタ数を１としてデジタルカメラ１００に図１４（Ａ）に示すようなデータを送信する（ステップ１８６）。
次に、ファイル識別子の場合は、図１３に示すようなファイル識別子のファイル情報をデジタルカメラ１００から取得し（ステップ１８７）、図１４（Ｂ）に示すような使用ファイル容量等を算出してデジタルカメラ１００に送付する（ステップ１８８）。
【００５６】
次に、デジタルカメラ１００内のＣＰＵ１０４からコピー実行要求を受け付けると（ステップ１８９）、フォルダを作成するか否かをチェックし（ステップ１９０）、作成する必要がある場合にはフォルダを作成する（ステップ１９１）。
さらに、デジタルカメラ１００内のＣＰＵ１０４からファイルを受信し（ステップ１９２）、受信したファイルをディスクに書き込む（ステップ１９３）。
この処理を全てのファイルが終了するまで繰り返す（ステップ１９４）。全てのファイルについて処理が終了すると、デジタルカメラ１００内のＣＰＵ１０４にコピー終了を知らせる（ステップ１９５）。
【００５７】
なお、ファイル／フォルダ追加時にフォルダ領域の追加が必要な場合がある。
その場合は、その分を図１４の使用ファイル容量に追加しても良いし、追加フォルダ容量等の別項目として記述しても良い。
または、図７でディスク情報を送付する時に、1クラスタ当たりのファイル/フォルダ管理数を送付するようにし、デジタルカメラ１００が画像の追加・削除時に、この１クラスタ当たりのファイル／フォルダ管理数を越えた場合は、自身で１クラスタ分を加算／減算するようにしても良い。
【００５８】
さらに、既存のフォルダに追加する場合は、既存のファイル／フォルダ数で、クラスタを追加するタイミングが変わってくる。その様な場合は、既存のファイル/フォルダ数又はクラスタの追加無しでコピー可能なファイル/フォルダ数をデジタルカメラ１００からストレージ２００に問い合わせられるようにすれば良い。
【００５９】
本実施例では、画像の選択／解除のたびに、使用する容量やコピー可否等を知ることができる。
また、本実施例ではファイルフォーマットとしてＦＡＴを用いて説明をしたが、他の論理フォーマット、例えば、ＮＴＦＳ、ＨＦＳ、ＵＤＦ等でも構わない。
また、本実施例においては、第２の記録再生装置としてストレージを例にとって説明したが、ストレージとしては、ＭＯ、ＣＤ−Ｒ、ＣＤ−ＲＷ、ＤＶＤ−Ｒ、ＤＶＤ−ＲＷ、ＤＶＤ−ＲＡＭ、ＦＤＤ、ＨＤＤ等であればよく、記憶装置を備えた携帯電話やパーソナルコンピュータ、デジタルカメラ等の機器でもよい。
さらに、本実施例においては、第１の記録再生装置としてデジタルカメラを例にとって説明したが、これに限らず、ストレージや記録装置を備えた機器でもよい。
また、本実施例では容量値を数値で表示したが、図２２に示すように、グラフで表示しても良く、数値とグラフの両方で表示しても良い。
【図面の簡単な説明】
【００６０】
【図１】本システムの概要を示す概略図である。
【図２】デジタルカメラおよびストレージの構成図である。
【図３】デジタルカメラの背面図である。
【図４】フォルダ内の画像データファイルを例示した図である。
【図５】新規に画像データファイル用フォルダが発生した場合のファイル構成を示した図である。
【図６】画像ファイルのデジタルカメラにおける実サイズ、クラスタ数とストレージにおける実サイズ、クラスタ数とを対応づけて表した図である。
【図７】ストレージ内の総容量、使用済み容量、使用可能容量を示す図である。
【図８】新たなディレクトリを指定した場合のファイル構成例である。
【図９】７つの画像ファイルをコピー転送する場合と８つの画像ファイルをコピー転送する場合の使用容量およびコピー可否の状況を示す図である。
【図１０】ストレージが複数ある場合の本システムの構成図である。
【図１１】ストレージが複数ある場合の各ストレージにおけるコピー可否に関する表示例を示す図である。
【図１２】ストレージに送付するデータを例示した図である。
【図１３】ストレージに送付するデータを例示した図である。
【図１４】ストレージからデジタルカメラに対して、送付されるデータを例示した図である。
【図１５】ストレージに送付するファイル情報を例示した図である。
【図１６】第１の実施例におけるデジタルカメラの処理フロー図である。
【図１７】第１の実施例におけるデジタルカメラの処理フロー図である。
【図１８】第１の実施例におけるストレージの処理フロー図である。
【図１９】第２の実施例におけるデジタルカメラの処理フロー図である。
【図２０】第２の実施例におけるデジタルカメラの処理フロー図である。
【図２１】第２の実施例におけるストレージの処理フロー図である。
【図２２】複数の表示態様を備えたデジタルカメラを例示した図である。
【符号の説明】
【００６１】
１００・・・デジタルカメラ、２００・・・ストレージ、１０１、２０１・・・ＲＯＭ、１０２、２０２・・・ＲＡＭ、１０３・・・選択／決定ボタン、１０４、２０３・・・ＣＰＵ、１０５、２０４・・・ファイル管理部、１０６、２０５・・・画像記憶部１０６、１０７・・・ＬＣＤ、１０８・・・ＬＥＤ、１０９・・・Ｐｏｗｅｒスイッチ、１１０・・・シャッター、１１１・・・モード選択ダイヤル、
【図１】
2005085359.tif 000003
【図２】
2005085359.tif 000004
【図３】
2005085359.tif 000005
【図４】
2005085359.tif 000006
【図５】
2005085359.tif 000007
【図６】
2005085359.tif 000008
【図７】
2005085359.tif 000009
【図８】
2005085359.tif 000010
【図９】
2005085359.tif 000011
【図１０】
2005085359.tif 000012
【図１１】
2005085359.tif 000013
【図１２】
2005085359.tif 000014
【図１３】
2005085359.tif 000015
【図１４】
2005085359.tif 000016
【図１５】
2005085359.tif 000017
【図１６】
2005085359.tif 000018
【図１７】
2005085359.tif 000019
【図１８】
2005085359.tif 000020
【図１９】
2005085359.tif 000021
【図２０】
2005085359.tif 000022
【図２１】
2005085359.tif 000023
【図２２】
2005085359.tif 000024